(57)【要約】【課題】  携帯式カラオケ装置の提供。【解決手段】  信号処理器、マイクロタイプハードディスク、サウンドエンコーダデコーダ、通信インタフェース、ＤＶＤ／ＶＣＤ読み取り装置、内蔵式スピーカ及び液晶ディスプレイで構成され、マイクロタイプハードディスクがＭＰ３音楽ファイルと字幕ファイルを保存でき、該通信インタフェースがインターネットに接続可能とされ、該ＤＶＤ／ＶＣＤ読み取り装置がディスク内のビデオファイルを液晶ディスプレイにより放送し、マイクロタイプハードディスクが保存する音楽ファイルをサウンドエンコーダデコーダで音声周波信号に変換後に内蔵式スピーカで放送し並びに字幕ファイルとＤＶＤ／ＶＣＤ読み取り装置内のディスクのビデオファイルを液晶ディスプレイにより放送し、並びにインターネットを通して希望する楽曲をハードディスクにダウンロードして随時随所でカラオケを楽しめる。【選択図】        図１
0003106790.tif 000002
【実用新案登録請求の範囲】
【請求項１】
信号処理器、液晶ディスプレイ、サウンドエンコーダデコーダ、マイクロタイプハードディスク、ＤＶＤ／ＶＣＤ読み取り装置、制御信号インタフェース、キー及び通信インタフェースが組み合わされてなる携帯式カラオケ装置において、
該信号処理器は、内部回路を制御し、ビデオ信号を出力し、音楽文字等の信号を検索伝送し、
液晶ディスプレイは、信号処理器に接続され、背景画像及び歌詞字幕を放送でき、
該サウンドエンコーダデコーダは、信号処理器を介してマイクロホン及び内蔵式スピーカに接続され、マイクロタイプハードディスク中より放送したい楽曲を読み取ってデコード後に、更にマイクロホンより入力される使用者の歌声信号と混合して内蔵式スピーカにより放送し、
該マイクロタイプハードディスクは、信号処理器に接続され、ＭＰ３、ＷＭＡ、ＡＡＣ或いはＡＴＲＡＣ３等の形式の音楽ファイルと字幕ファイルを保存し、
該ＤＶＤ／ＶＣＤ読み取り装置は、信号処理器に接続され、ＤＶＤ或いはＶＣＤディスク内のビデオデータファイルを読み取り、
該キーは、信号処理器に接続されて制御信号入力に用いられて信号処理器に制御動作を行なわせ、
該通信インタフェースは、信号処理器に接続されるほか、パーソナルコンピュータに接続されてパーソナルコンピュータを介してインターネットに接続されてＭＰ３、ＷＭＡ、ＡＡＣ或いはＡＴＲＡＣ３形式の音楽ファイル及び字幕ファイルをダウンロードでき、
以上を特徴とする、携帯式カラオケ装置。
【請求項２】
請求項１記載の携帯式カラオケ装置において、信号処理器が制御信号インタフェースに接続され、該制御信号インタフェースが受信器に接続され、該受信器がリモートコントローラー及び無線マイクロホンの発射する信号を受信できることを特徴とする、携帯式カラオケ装置。
【請求項３】
請求項１記載の携帯式カラオケ装置において、通信インタフェースが直接インターネットよりＭＰ３、ＷＭＡ、ＡＡＣ或いはＡＴＲＡＣ３形式の音楽及び歌詞字幕信号をダウンロードできることを特徴とする、携帯式カラオケ装置。
【請求項４】
請求項１記載の携帯式カラオケ装置において、マイクロタイプハードディスクがＭＰＥＧ４形式のカラオケオーディオビデオファイルを保存できることを特徴とする、携帯式カラオケ装置。
【請求項５】
請求項１記載の携帯式カラオケ装置において、マイクロタイプハードディスクがＶＣＤ形式のカラオケオーディオビデオファイルを保存できることを特徴とする、携帯式カラオケ装置。
【請求項６】
請求項１記載の携帯式カラオケ装置において、マイクロタイプハードディスクがＤＶＤ形式のカラオケオーディオビデオファイルを保存できることを特徴とする、携帯式カラオケ装置。
【考案の詳細な説明】
【技術分野】
【０００１】
本考案は一種の携帯式カラオケ装置に係り、特にいつでもどこでも簡単にカラオケを楽しめるようにする機能を具えた携帯式カラオケ装置に関する。
【背景技術】
【０００２】
アジアではカラオケで人々の集まりの雰囲気を盛り上げることは一般的であり、カラオケ設備は不断に進歩し、早期のビデオテープ、ＬＰレコードからＤＶＤ／ＶＣＤカラオケディスクへと進化し、リモートコントローラー操作でカラオケを楽しむことができる。
【０００３】
周知のカラオケ装置は内蔵式のＤＶＤ／ＶＣＤ読み取り装置、ＣＰＵ、音声デコーダ、リモートコントローラー、及び複数の歌詞メモリカード及びディスクを具え、該歌詞メモリカード内に数千から数万曲の音楽ファイルと歌詞ファイルが保存されてい。周知のカラオケ装置は、テレビジョン受像機、スピーカ及びマイクロホンと接続される。使用者は楽曲目録より歌いたい楽曲の楽曲コードを選択してリモートコントローラーでこの楽曲コードを入力し、ＣＰＵが該楽曲コードにより歌詞メモリカードより対応する楽曲の音楽ファイルと歌詞ファイルを探し出し、更に音楽ファイルを音声デコーダで変換して音声周波信号となして使用者がマイクロホンより入力する歌声信号と混合し、スピーカより放送し、またＣＰＵが下す命令により、オーディオビデオ再生機器がディスク中のビデオデータを読み取り、ビデオデータ中に歌詞ファイルを挿入後、テレビジョンスクリーンにより放送し、該ビデオデータをＭＴＶ（Ｍｕｓｉｃ  Ｔｅｌｅｖｉｓｉｏｎ）音楽背景となし、並びに同時にスクリーン上に歌詞を表示する。
【０００４】
周知のカラオケ装置は一台のホストマシンを具えているだけであり、カラオケを楽しむためには、テレビジョン受像機とスピーカを外接して画像と音楽を放送する必要がある。ホストマシンにテレビジョン受像機とスピーカを外接した後の体積は膨大で、簡単には移動させられない。ゆえに、周知のカラオケ装置は室内環境下でしか使用できなかった。しかし、週休二日実施後に、人々が更に多くの時間をレジャー、娯楽に費やすようになり、特に屋外活動を楽しむようになった現状にあって、例えば車内での時間をつぶしたり、キャンプ先でカラオケ装置を利用できれば便利である。しかし、体積が膨大なカラオケ装置、テレビジョン受像機及びスピーカを車に積み込むのは、車内空間が大きいキャンピングカーを除いては不可能である。このように周知のカラオケ装置の膨大な体積はカラオケを楽しむ人にとって相当に大きな問題である。
【考案の開示】
【考案が解決しようとする課題】
【０００５】
本考案の主要な目的は、携帯式カラオケ装置を提供することにあり、それはいつでもどこでも簡単にカラオケを楽しめるようにする装置であるものとする。
【課題を解決するための手段】
【０００６】
請求項１の考案は、信号処理器、液晶ディスプレイ、サウンドエンコーダデコーダ、マイクロタイプハードディスク、ＤＶＤ／ＶＣＤ読み取り装置、制御信号インタフェース、キー及び通信インタフェースが組み合わされてなる携帯式カラオケ装置において、
該信号処理器は、内部回路を制御し、ビデオ信号を出力し、音楽文字等の信号を検索伝送し、
液晶ディスプレイは、信号処理器に接続され、背景画像及び歌詞字幕を放送でき、
該サウンドエンコーダデコーダは、信号処理器を介してマイクロホン及び内蔵式スピーカに接続され、マイクロタイプハードディスク中より放送したい楽曲を読み取ってデコード後に、更にマイクロホンより入力される使用者の歌声信号と混合して内蔵式スピーカにより放送し、
該マイクロタイプハードディスクは、信号処理器に接続され、ＭＰ３、ＷＭＡ、ＡＡＣ或いはＡＴＲＡＣ３等の形式の音楽ファイルと字幕ファイルを保存し、
該ＤＶＤ／ＶＣＤ読み取り装置は、信号処理器に接続され、ＤＶＤ或いはＶＣＤディスク内のビデオデータファイルを読み取り、
該キーは、信号処理器に接続されて制御信号入力に用いられて信号処理器に制御動作を行なわせ、
該通信インタフェースは、信号処理器に接続されるほか、パーソナルコンピュータに接続されてパーソナルコンピュータを介してインターネットに接続されてＭＰ３、ＷＭＡ、ＡＡＣ或いはＡＴＲＡＣ３形式の音楽ファイル及び字幕ファイルをダウンロードでき、
以上を特徴とする、携帯式カラオケ装置としている。
請求項２の考案は、請求項１記載の携帯式カラオケ装置において、信号処理器が制御信号インタフェースに接続され、該制御信号インタフェースが受信器に接続され、該受信器がリモートコントローラー及び無線マイクロホンの発射する信号を受信できることを特徴とする、携帯式カラオケ装置としている。
請求項３の考案は、請求項１記載の携帯式カラオケ装置において、通信インタフェースが直接インターネットよりＭＰ３、ＷＭＡ、ＡＡＣ或いはＡＴＲＡＣ３形式の音楽及び歌詞字幕信号をダウンロードできることを特徴とする、携帯式カラオケ装置としている。
請求項４の考案は、請求項１記載の携帯式カラオケ装置において、マイクロタイプハードディスクがＭＰＥＧ４形式のカラオケオーディオビデオファイルを保存できることを特徴とする、携帯式カラオケ装置としている。
請求項５の考案は、請求項１記載の携帯式カラオケ装置において、マイクロタイプハードディスクがＶＣＤ形式のカラオケオーディオビデオファイルを保存できることを特徴とする、携帯式カラオケ装置としている。
請求項６の考案は、請求項１記載の携帯式カラオケ装置において、マイクロタイプハードディスクがＤＶＤ形式のカラオケオーディオビデオファイルを保存できることを特徴とする、携帯式カラオケ装置としている。
【考案の効果】
【０００７】
本考案の携帯式カラオケ装置は、外出使用に適合し、いつでもどこでもカラオケを楽しむことができ、実用性と進歩性を有している。
【考案を実施するための最良の形態】
【０００８】
本考案は、信号処理器、マイクロタイプハードディスク、サウンドエンコーダデコーダ、通信インタフェース、ＤＶＤ／ＶＣＤ読み取り装置、内蔵式スピーカ及び液晶ディスプレイで構成されている。その特徴は、マイクロタイプハードディスクがＭＰ３音楽ファイルと字幕ファイルを保存でき、該通信インタフェースが直接インターネットに接続されるか或いはパーソナルコンピュータを介してインターネットに接続可能とされ、該ＤＶＤ／ＶＣＤ読み取り装置がディスク内のビデオファイルを液晶ディスプレイにより放送できることにある。
【０００９】
以上の構造により、本考案の携帯式カラオケ装置は、サウンドエンコーダデコーダによりマイクロタイプハードディスクに保存された音楽ファイルを音声周波信号に変換した後、マイクロホンより入力された歌声と混合し、内蔵式スピーカで放送し、並びに字幕ファイルとＤＶＤ／ＶＣＤ読み取り装置内のディスクのビデオファイルを液晶ディスプレイで放送し、並びにインターネットを通して希望する楽曲をハードディスクにダウンロードして随時随所でカラオケを楽しめる機能を達成する。
【実施例１】
【００１０】
図１、２に示されるように、本考案の携帯式カラオケ装置は、信号処理器１、液晶ディスプレイ２、サウンドエンコーダデコーダ３、マイクロタイプハードディスク４、ＤＶＤ／ＶＣＤ読み取り装置５、制御信号インタフェース６、キー７及び通信インタフェース８が組み合わされてなる。本考案の特徴は以下のとおりである。
【００１１】
信号処理器１は、内部回路を制御し、ビデオ信号を出力し、音楽文字等の信号を検索伝送する。
【００１２】
液晶ディスプレイ２は、信号処理器１に接続され、背景画像及び歌詞字幕を放送できる。
【００１３】
該サウンドエンコーダデコーダ３は、信号処理器１を介してマイクロホン３１及び内蔵式スピーカ３０に接続され、マイクロタイプハードディスク４中より放送したい楽曲を読み取ってデコード後に、更にマイクロホンより入力される使用者の歌声信号と混合して内蔵式スピーカ３０により放送する。
【００１４】
該マイクロタイプハードディスク４は、信号処理器１に接続され、ＭＰ３、ＷＭＡ、ＡＡＣ或いはＡＴＲＡＣ３等の形式の音楽ファイルと字幕ファイルを保存する。
【００１５】
該ＤＶＤ／ＶＣＤ読み取り装置５は、信号処理器１に接続され、ＤＶＤ或いはＶＣＤディスク内のビデオデータファイルを読み取る。
【００１６】
該制御信号インタフェース６は、信号処理器１と受信器６０に接続され、該受信器６０はリモートコントローラー６１及び無線マイクロホン６２の発射する信号を受信できる。
【００１７】
該キー７は、信号処理器１に接続されて制御信号入力に用いられて信号処理器１に制御動作を行なわせる。
【００１８】
通信インタフェース８は、信号処理器１に接続され、パーソナルコンピュータ３０に接続されてパーソナルコンピュータ３０を介してインターネット８１に接続されてＭＰ３、ＷＭＡ、ＡＡＣ或いはＡＴＲＡＣ３形式の音楽ファイル及び字幕ファイルをダウンロードできる。
【００１９】
以上の構造により、本考案の携帯式カラオケ装置中、信号処理器がＤＶＤ／ＶＣＤ読み取り装置５により内部のディスクのビデオデータを読み取り、同時にマイクロタイプハードディスク４内に保存された音楽ファイルと字幕ファイルを読み取り、その後、字幕ファイルをビデオデータと合併し、更にビデオデータを液晶ディスプレイ２に伝送して放送し、また音楽ファイルをサウンドエンコーダデコーダ３でデコードして音声周波信号とした後に、マイクロホン３１或いは無線マイクロホン６１より入力された使用者の歌声信号と混合した後に内蔵式スピーカ３０により放送する。
【００２０】
図３、４、５に示されるように、本考案の携帯式カラオケ装置はそのうちの信号処理器がプログラム制御フローにより運転し、マイクロタイプハードディスク４にＭＰ３、ＷＭＡ、ＡＡＣ或いはＡＴＲＡＣ３形式の音楽ファイルと字幕ファイルを保存し、並びに液晶ディスプレイ２と内蔵式スピーカ３０を整合し、これにより、体積が小さいが完璧な機能を有し、随時携帯できる機能を達成している。
【００２１】
更に、本考案の携帯式カラオケ装置は、通信インタフェース８によりインターネット８１より直接ＭＰ３、ＷＭＡ、ＡＡＣ或いはＡＴＲＡＣ３形式の音楽及び歌詞字幕信号をダウンロードでき、並びに信号処理器１に伝送してマイクロタイプハードディスク４に保存できる。或いはパーソナルコンピュータ８０を介してインターネット８１より音楽及び歌詞字幕信号をダウンロードし、パーソナルコンピュータ８０でデータ編集後に、更にパーソナルコンピュータ８０より本考案のマイクロタイプハードディスク４中にダウンロードできる。これにより、使用者は単独で自分の好きな楽曲をダウンロードでき、且つ容易に新しい楽曲を増加でき、メーカーを通してメモリカードの更新を行なう必要がなく、メーカーにとっては相当多くのサービスコストを減らすことができる。
【００２２】
次に、マイクロタイプハードディスク４はＤＶＤ或いはＶＣＤ或いはＭＰＥＧ４形式のカラオケオーディオビデオファイルを保存でき、デコード後に液晶ディスプレイ２に音声画像を放送させ、並びに歌声と混合してスピーカで放送できる。
【００２３】
総合すると、本考案の携帯式カラオケ装置は外出使用に適合し、いつでもどこでもカラオケを楽しむことができ、実用性と進歩性を有している。
【図面の簡単な説明】
【００２４】
【図１】本考案の回路ブロック図である。
【図２】本考案の立体外観図である。
【図３】本考案の制御プログラムフローチャートである。
【図４】本考案の制御プログラムフローチャートである。
【図５】本考案の制御プログラムフローチャートである。
【符号の説明】
【００２５】
１  信号処理器                      ２  液晶ディスプレイ
３  サウンドエンコーダデコーダ      ４  マイクロタイプハードディスク
５  ＤＶＤ／ＶＣＤ読み取り装置      ６  制御信号インタフェース
７  キー                            ８  通信インタフェース
３０  内蔵式スピーカ                ３１  マイクロホン
６０  受信器                        ６１  リモートコントローラー
６２  無線マイクロホン              ８０  パーソナルコンピュータ
８１  インターネット
【図１】
0003106790.tif 000003
【図２】
0003106790.tif 000004
【図３】
0003106790.tif 000005
【図４】
0003106790.tif 000006
【図５】
0003106790.tif 000007